(57)【要約】【課題】相手コネクタ嵌合離脱時に各端子に作用する力をしっかりと受け止めることができるジョイントコネクタを提供する。【解決手段】ジョイントコネクタ１は、相手コネクタを嵌合するコネクタハウジング２と、回路基板６と、Ｌ字状に屈曲し、一方１２ａ〜１４ａをコネクタハウジング内に配置し、他方１２ｂ〜１４ｂを回路基板に接続した複数の端子１２〜１４と、回路基板に固定され、複数の端子の他方を挿通した端子挿通部９〜１１を有する端子保持ブロック８と、を備え、端子挿通部の相手コネクタ嵌合方向の内面４１ｅ〜４３ｅに複数の端子の他方の相手コネクタ嵌合方向の外面１２ｂ２〜１４ｂ２が接し、端子挿通部の相手コネクタ離脱方向の内面４１ｄ〜４３ｄに複数の端子の他方の相手コネクタ離脱方向の外面１２ｂ１〜１４ｂ１が接している。【選択図】図４
2017126548.tif 000002
【特許請求の範囲】
【請求項１】
相手コネクタを嵌合するコネクタハウジングと、回路基板と、Ｌ字状に屈曲し、一方を該コネクタハウジング内に配置し、他方を該回路基板に接続した複数の端子と、該回路基板に固定され、該複数の端子の他方を挿通した端子挿通部を有する端子保持ブロックと、を備え、該端子挿通部の相手コネクタ嵌合方向の内面に該複数の端子の他方の相手コネクタ嵌合方向の外面が接し、該端子挿通部の相手コネクタ離脱方向の内面に該複数の端子の他方の相手コネクタ離脱方向の外面が接していることを特徴とするジョイントコネクタ。
【請求項２】
前記複数の端子が複数層に配置され、前記端子挿通部が複数段に形成されていることを特徴とする請求項１記載のジョイントコネクタ。
【請求項３】
前記コネクタハウジングと、前記端子保持ブロックの前記端子挿通部を有するブロック部とが、１８０°方向にそれぞれ二つ配設されていることを特徴とする請求項１又は２記載のジョイントコネクタ。
【請求項４】
前記端子挿通部が複数の端子挿通孔を含み、該端子挿通孔に圧入される一対の突起が前記端子の他方の幅方向に対称に設けられていることを特徴とする請求項１〜３の何れかに記載のジョイントコネクタ。
【請求項５】
下層側の前記端子と上層側の前記端子の展開形状及び全長が等しく、上層側の前記端子中間の折り曲げ部が、下層側の前記端子中間の折り曲げ部よりも上側かつ相手コネクタから離れた側に位置していることを特徴とする請求項２に記載のジョイントコネクタ。
【請求項６】
前記コネクタハウジングが前記複数の端子の各層毎に設けられており、上層側の前記コネクタハウジングの嵌合間口が下層側の前記コネクタハウジングの嵌合間口よりも上側かつ相手コネクタから離れた側に位置しており、前記コネクタハウジングの上面に、嵌合されるべき相手コネクタを識別するマークが設けられていることを特徴とする請求項５に記載のジョイントコネクタ。
【発明の詳細な説明】
【技術分野】
【０００１】
本発明は、例えば、ワイヤハーネスの各電線をジョイント接続させるためのジョイントコネクタに関するものである。
【背景技術】
【０００２】
従来、例えば、ワイヤハーネスの各回路をジョイントさせるためにジョイントコネクタが用いられている。各回路のジョイントは共通アースや共通給電等のために行われる。
【０００３】
例えば、特許文献１（図示せず）には、ジョイントコネクタとして、前部開口を有する複数の嵌合室を並列に配置したコネクタハウジングと、コネクタハウジングの後部開口内に収容される回路基板と、回路基板にハンダ接続されて各嵌合室内に位置する複数の端子と、後部開口を覆うカバーとを備えたものが記載されている。
【０００４】
また、特許文献２（図示せず）には、中央の隔壁で区画された前後の各コネクタ接続室（嵌合室）を有するコネクタハウジングと、共通バスバーで連結された状態で隔壁の各孔部に圧入固定された複数の端子とを備えるジョイントコネクタが記載されている。
【０００５】
また、特許文献３（図示せず）には、ジョイントコネクタに関するものではないが、回路基板に一方をハンダ接続されるＬ字状の各端子と、各端子の他方を奥壁の孔に貫通して嵌合室内に配置するコネクタハウジングとを備える基板用コネクタが記載されている。
【０００６】
例えば、前記特許文献１に記載されたジョイントコネクタは、垂直タイプとも呼称され、各嵌合室の並び方向に肥大化しやすい傾向がある。そのため、ワイヤハーネスに使用した場合に、例えば車両への搭載時に大きなスペースを必要とするという懸念があった。
【０００７】
前記特許文献２に記載されたジョイントコネクタは、水平タイプとも呼称され、各嵌合室が前後に配置されているので、薄型化が可能となり、搭載スペースの懸念は解消されている。
【０００８】
図１１〜図１２は、従来の水平タイプのジョイントコネクタの一形態を示すものである。
【０００９】
このジョイントコネクタ７１は、前後一対のコネクタハウジング７２，７３と、各コネクタハウジング７２，７３の奥壁７４の各孔部に一方を圧入固定されるＬ字状の各端子７５と、各端子７５の他方をスルーホールに貫通してハンダ接続する回路基板７６とを備えたものである。ハンダは例えば噴流ハンダ槽内の噴流ハンダである。
【００１０】
各端子７５の一方は左右方向の水平な連結板７７で一体に連結されている。これは前後の各コネクタ（符号７２，７３で代用）において同様である。連結板７７の長手方向の左右端に、図１３に示す前後一対の突起７８が設けられ、図１２に囲み鎖線７９で示すコネクタハウジング７２，７３の奥壁７４の孔部に突起７８が圧入されて、図１２の矢印Ｆ１で示すコネクタ７２への相手コネクタ嵌合（挿入）時の力や、矢印Ｆ２で示す相手コネクタ離脱時の力を受け止めるようになっている。これらの力Ｆ１，Ｆ２は主に端子（雄端子）７５と相手コネクタ側の端子（雌端子）との嵌合摩擦力によって生じるものである。なお、コネクタとは、コネクタハウジング７２，７３とそれに配設された各端子７５とで構成されるものである。
【００１１】
回路基板７６の各スルーホールを貫通した各端子７５の他方は、回路基板７６の裏面（図１２で下面）側において、不図示の回路に続くランドにハンダで接続固定される。各コネクタハウジング７２，７３は、図１１の囲み鎖線８０で示す両側部分（各二箇所、計四箇所）が、例えば回路基板７６又は回路基板７６を収容する不図示のカバー等にねじ締めされることで固定される。
【先行技術文献】
【特許文献】
【００１２】
【特許文献１】特開２００６−２１６５０１号公報
【特許文献２】特開２００３−２４３１１２号公報
【特許文献３】特開２００２−３０５０４８号公報
【発明の概要】
【発明が解決しようとする課題】
【００１３】
しかしながら、前記図１１〜図１２で示す従来のジョイントコネクタ７１にあっては、相手コネクタの嵌合離脱時の力（雄・雌端子相互の摩擦力）Ｆ１，Ｆ２に抗して端子７５を保持するために強い保持力を必要とし、そのために、例えば、前記のように端子７５に保持用の前後一対の突起７８を端子長手方向（相手コネクタ嵌合離脱方向）に並べて設けなければならず、突起７８を一つではなく端子長手方向に一対としたことで、端子７５の長さが増加すると共に、コネクタハウジング７２，７３の奥壁７４の厚みが増加し、これにより、ジョイントコネクタ７１が前後方向すなわち相手コネクタ嵌合離脱方向に肥大化するという問題や、コネクタハウジング７２，７３の奥壁７４の孔部に端子７５を圧入するための設備が大型化するという懸念を生じた。
【００１４】
さらに、図１１〜１２に示した従来のジョイントコネクタ７１のようにＬ字状の端子が複数層に配置されたジョイントコネクタにおいては、上述したコネクタ肥大化の問題の他に以下の問題があった。すなわち、この種のジョイントコネクタにおいては、端子の長さが各層毎に異なることから複数種の端子が必要であり、金型費等のコストがかさむという問題、在庫管理が煩雑になるという問題があった。
【００１５】
本発明は、前記した点に鑑み、相手コネクタ嵌合離脱時に各端子に作用する力をしっかりと受け止めることができ、しかも、例えば相手コネクタ嵌合離脱方向のコンパクト化を図ることのできるジョイントコネクタを提供することを第１の目的とする。また、コストを低減することができるジョイントコネクタを提供することを第２の目的とする。
【課題を解決するための手段】
【００１６】
上記第１の目的を達成するために、本発明のジョイントコネクタは、相手コネクタを嵌合するコネクタハウジングと、回路基板と、Ｌ字状に屈曲し、一方を該コネクタハウジング内に配置し、他方を該回路基板に接続した複数の端子と、該回路基板に固定され、該複数の端子の他方を挿通した端子挿通部を有する端子保持ブロックと、を備え、該端子挿通部の相手コネクタ嵌合方向の内面に該複数の端子の他方の相手コネクタ嵌合方向の外面が接し、該端子挿通部の相手コネクタ離脱方向の内面に該複数の端子の他方の相手コネクタ離脱方向の外面が接していることを特徴とする。
【００１７】
この構成により、コネクタハウジングと各端子とで成るコネクタに相手コネクタが嵌合する際に、各端子が相手コネクタ嵌合方向の力（圧縮力）を受けるが、端子保持ブロックの端子挿通部の相手コネクタ嵌合方向の内面が各端子の相手コネクタ嵌合方向の外面を支持して、前記力をしっかりと受け止める。また、コネクタから相手コネクタが離脱する際に、各端子が相手コネクタ離脱方向の力（引張力）を受けるが、端子保持ブロックの端子挿通部の相手コネクタ離脱方向の内面が各端子の相手コネクタ離脱方向の外面を支持して、前記力をしっかりと受け止める。なお、「接し」とは、若干の隙間を存して接触してもよく、隙間なく接触してもよい、の意味である。
【００１８】
前記ジョイントコネクタにおいては、前記複数の端子が複数層に配置され、前記端子挿通部が複数段に形成されていることが好ましい。
【００１９】
この構成により、複数の端子が各層ごとに端子保持ブロックの各段の端子挿通部で保持され、各層ごとに端子に作用する相手コネクタ嵌合離脱方向の力が各段の端子挿通部でしっかりと受け止められる。端子挿通部は回路基板に対して段ごとに相手コネクタ嵌合離脱方向にずれて配置される。
【００２０】
前記ジョイントコネクタにおいては、前記コネクタハウジングと、前記端子保持ブロックの前記端子挿通部を有するブロック部とが、１８０°方向にそれぞれ二つ配設されていることが好ましい。
【００２１】
この構成により、二つの相手コネクタを各コネクタハウジングに嵌合ないし離脱する際に、端子保持ブロックの各ブロック部の各端子挿通部が相手コネクタ嵌合離脱方向の力をそれぞれしっかりと受け止める。二つの相手コネクタから１８０°方向（相反する方向）に電線が導出される。なお、「二つ」とは、二つ以上を含む、少なくとも二つの意味である。
【００２２】
前記ジョイントコネクタにおいては、前記端子挿通部が複数の端子挿通孔を含み、該端子挿通孔に圧入される一対の突起が前記端子の他方の幅方向に対称に設けられていることが好ましい。
【００２３】
この構成により、各端子が端子挿通孔ごとに挿入されて、一対の突起で端子挿通孔に圧入固定される。そして、例えば回路基板に端子をハンダ接続する際の噴流ハンダの圧力（小さいものである）に抗して端子の位置が維持される。突起は端子の他方の幅方向（長手方向とは直交する方向）に一対配置されるので、端子の他方の長さが短く規定され、ジョイントコネクタの相手コネクタ嵌合離脱方向とは直交する方向（回路基板厚み方向）のコンパクト化が可能となる。
【００２４】
さらに、上記第２の目的をも達成するために、本発明のジョイントコネクタは、請求項２に記載されたジョイントコネクタにおいて、下層側の前記端子と上層側の前記端子の展開形状及び全長が等しく、上層側の前記端子中間の折り曲げ部が、下層側の前記端子中間の折り曲げ部よりも上側かつ相手コネクタから離れた側に位置していることを特徴とする。
【００２５】
前記ジョイントコネクタにおいては、前記コネクタハウジングが前記複数の端子の各層毎に設けられており、上層側の前記コネクタハウジングの嵌合間口が下層側の前記コネクタハウジングの嵌合間口よりも上側かつ相手コネクタから離れた側に位置しており、前記コネクタハウジングの上面に、嵌合されるべき相手コネクタを識別するマークが設けられていることが好ましい。
【発明の効果】
【００２６】
本発明によれば、相手コネクタ嵌合及び離脱時に各端子に作用する力を端子保持ブロックの端子挿通部の各内面がしっかりと受け止めて、各端子の移動を抑止することで、回路基板の端子接続部（ハンダ付け部）に有害な力が作用することを抑止することができる。また、従来のようにコネクタハウジングの奥壁に各端子を固定する必要がないから、各端子を短縮化すると共に、コネクタハウジングの奥壁を薄型化して、ジョイントコネクタを相手コネクタ嵌合離脱方向にコンパクト化することができる。
【００２７】
また、前記複数の端子が複数層に配置され、前記端子挿通部が複数段に形成されていることにより、各層の端子に作用する相手コネクタ嵌合離脱方向の力を各段の端子挿通部でしっかりと受け止めることができる。
【００２８】
また、前記コネクタハウジングと、前記端子保持ブロックの前記端子挿通部を有するブロック部とが、１８０°方向にそれぞれ二つ配置されていることにより、二つの相手コネクタを相対する方向から各コネクタハウジングに嵌合ないし離脱した際に、各端子に作用する力を各ブロック部の端子挿通部でしっかりと受け止めることができる。
【００２９】
また、前記端子挿通部が複数の端子挿通孔を含み、該端子挿通孔に圧入される一対の突起が前記端子の他方の幅方向に対称に設けられていることにより、端子を端子挿通孔内に固定しつつ、端子の他方を短縮化して、ジョイントコネクタを相手コネクタ嵌合離脱方向とは直交する方向（回路基板厚み方向）にコンパクト化することができる。
【００３０】
また、下層側の前記端子と上層側の前記端子の展開形状及び全長が等しく、上層側の前記端子中間の折り曲げ部が、下層側の前記端子中間の折り曲げ部よりも上側かつ相手コネクタから離れた側に位置していることにより、下層側の端子と上層側の端子とを製造する際に使用する金型を共通化することができ、コストを低減することができる。また、この金型で導電金属板から打ち抜いた端子の半製品（折り曲げ前の状態）を在庫品として保有することで、在庫品の種類を減らすことができ、在庫管理を容易にすることができる。
【００３１】
また、前記コネクタハウジングが前記複数の端子の各層毎に設けられており、上層側の前記コネクタハウジングの嵌合間口が下層側の前記コネクタハウジングの嵌合間口よりも上側かつ相手コネクタから離れた側に位置しており、前記コネクタハウジングの上面に、嵌合されるべき相手コネクタを識別するマークが設けられていることにより、各コネクタハウジングの嵌合されるべき相手コネクタが明確になり、誤嵌合を防止できる。
【図面の簡単な説明】
【００３２】
【図１】本発明のジョイントコネクタの一実施形態を示す縦断面図（図２のＡ−Ａ断面図）である。
【図２】同じくジョイントコネクタを示す外観斜視図である。
【図３】ジョイントコネクタの内部構成部品を示す斜視図である。
【図４】図１の内部構成部品の要部を示す断面図である。
【図５】図４のＢ−Ｂ断面図である。
【図６】図５の要部を示す断面図である。
【図７】図６の端子に対する比較例を示す断面図である。
【図８】本発明のジョイントコネクタの他の実施形態を示す斜視図である。
【図９】図８の内部構成部品の要部を示す断面図である。
【図１０】図９の端子の展開図である。
【図１１】従来のジョイントコネクタの一形態の要部を示す横断面図である。
【図１２】従来のジョイントコネクタの要部を示す縦断面図である。
【図１３】従来のジョイントコネクタの端子を示す斜視図である。
【発明を実施するための形態】
【００３３】
図１〜図２は、本発明のジョイントコネクタの一実施形態を示すものである。
【００３４】
図１の如く、このジョイントコネクタ１は、水平タイプのものであり、前後の各コネクタハウジング２，３を含む合成樹脂製のカバー４と、カバー４の底壁５の内面に沿って水平に配置された回路基板６と、回路基板６の上面にねじ部材７で締付固定された合成樹脂製の端子保持ブロック８と、端子保持ブロック８の垂直（縦方向）な各端子挿通部９〜１１に挿通された状態で回路基板６にハンダ接続され（図示せず）、各端子挿通部９〜１１の上端において各コネクタハウジング２，３に向けて水平に折り曲げられた導電金属製のＬ字状の複数（複数層）の端子１２〜１４と、を備えたものである。
【００３５】
図１，図２の如く、前後のコネクタハウジング２，３は左右方向に長い矩形状に形成されている。前側のコネクタハウジング２の後端は小さな第一のカバー部１５の垂直な壁部１６に一体に続き、垂直な壁部１６はカバー部１５の後側の枠壁１７に一体に続いている。後側のコネクタハウジング３の前端は大きな第二のカバー部１８の垂直な壁部１９に一体に続き、垂直な壁部１９は、カバー部１８の底壁５を含む前後方向に長い断面矩形環状の周壁２０に一体に続いている。周壁２０の前部は枠壁１７に係止部２１（図２）で係止されている。第一のカバー部１５と第二のカバー部１８でカバー４が構成されている。
【００３６】
なお、明細書で前後左右上下の方向性は説明の便宜上のものであり、必ずしもジョイントコネクタ１の使用方向に一致するとは限らない。例えば図２のジョイントコネクタ１を水平ではなく垂直に配置して使用したり、上下９０°ないし１８０°反転して使用したりすることも可能である。図１は図２のＡ−Ａ断面図である。また、前後の方向すなわち相手コネクタ嵌合離脱方向は１８０°方向である。
【００３７】
各コネクタハウジング２，３は水平な同一線上（１８０°方向）に配置され、各コネクタハウジング２，３の上壁２２は第二のカバー部（カバー本体）１８の上壁２４と同一面に位置し、カバー部１８の底壁（下壁）５は各コネクタハウジング２，３の下壁２５よりも下方に位置し、底壁５に続くカバー４の前後の垂直壁１６，１９の間に回路基板収容部２７が形成されている。
【００３８】
図１の如く、回路基板６の前後端部６ａ，６ｂは、カバー４の前後の垂直壁１６，１９の内面側に形成された各凹溝部２８に係合して位置決め固定されている。カバー４の底壁５と回路基板６の下面との間に、ねじ部材７の頭部及び各端子１２〜１４の基板接続部（ハンダ付け部）２９を収容する空間（収容部）２７が形成されている。回路基板６は絶縁樹脂製の基板本体と、基板本体に所要のパターンで形成された導電金属製の回路とを備えたものである。
【００３９】
カバー４の前後の垂直壁１６，１９は上方に延長されて各コネクタハウジング２，３の垂直な奥壁３０と一体化している。各奥壁３０には本例で上下方向に三段に端子挿通孔３１が等ピッチで設けられている。各段の端子挿通孔３１は左右方向にも複数並列に等ピッチで設けられている。前後の各奥壁３０とカバー４の上壁２４と回路基板６の上面とで囲まれてブロック収容空間３２が形成されている。
【００４０】
また、各コネクタハウジング２，３の左右の側壁３３（図２）の内面には、不図示の相手コネクタに対するガイドリブ３４が水平に設けられている。各コネクタハウジング２，３の上下左右の壁部と奥壁３０とで囲まれてコネクタ嵌合室３５が形成されている。
【００４１】
図３，図４は、回路基板６と端子保持ブロック８と三層の各端子１２〜１４とで成る、ジョイントコネクタ１の内部構成部品である端子組立接続体（図１のカバー４を除いた部分）３６を示すものである。
【００４２】
図３の如く、端子保持ブロック８は、前後の対称な階段状のブロック部３７，３８と、各ブロック部３７，３８を底部側で一体に連結した左右一対の低背な連結壁３９とを備えている。各ブロック部３７，３８はそれぞれ三段に形成され、各段部４１〜４３は縦方向及び横（水平）方向に等ピッチで配置されている。各段部４１〜４３の上面から下向きに（下面まで貫通して）各端子挿通部９〜１１が設けられている。端子挿通部９〜１１はその上部開口から回路基板６の近傍に至るまで各段の端子１２〜１４の並び方向すなわち左右方向にスリット状に連続している。一対の連結壁３９の間は空間となっている。
【００４３】
図３，図４の如く、前側の階段状のブロック部３７の最も低い一段目の段部４１の前端の垂直面４１ａは上端の水平面（支持面）４１ｂに続き、水平面４１ｂと二段目の段部４２の前側の垂直面４２ａとの間に、垂直面４２ａに沿って一段目の端子挿通部９が設けられている。上端の水平面４１ｂは湾曲面４１ｃ（図４）を介して一段目の端子挿通部９の前側の内面４１ｄ（図４）に続いている。端子挿通部９の後側の内面４１ｅ（図４）は二段目の段部４２の前側の垂直面４２ａに同一面で続いている（垂直面４２ａを兼ねている）。
【００４４】
同様に、二段面の段部４２の前側の垂直面４２ａは上端の水平面（支持面）４２ｂに続き、水平面４２ｂと三段目の段部４３の前側の垂直面４３ａとの間に、垂直面４３ａに沿って二段目の端子挿通部１０が設けられている。上端の水平面４２ｂは湾曲面４２ｃ（図４）を介して端子挿通部１０の前側の内面４２ｄ（図４）に続いている。端子挿通部１０の後側の内面４２ｅ（図４）は三段目の段部４３の前側の垂直面４３ａに同一面で続いている（垂直面４３ａを兼ねている）。
【００４５】
三段目の段部４３の前端の垂直面４３ａは前半段部４３Ａの上端の水平面（支持面）４３ｂに続き、前半段部４３Ａと同じ高さの後半段部４３Ｂとの間に三段目の端子挿通部１１が垂直に設けられている。上端の水平面４３ｂは湾曲面４３ｃ（図４）を介して端子挿通部１１の前側の内面４３ｄ（図４）に続いている。後半段部４３Ｂの前側の内面４３ｅが端子挿通部１１の後側の内面４３ｅとなっている。後半段部４３Ｂの後端の垂直面４３ｆ（図４）は、図３の左右の連結壁３９の上面に直交して続いている。湾曲面４１ｃ〜４３ｃを傾斜面とすることも可能である。
【００４６】
後側の階段状のブロック部３８は、前側の階段状のブロック部３７と前後対称に形成配置されている。図１の如く、後側の階段状のブロック部３８の最も低い一段目の段部４１の後端の垂直面４１ａは上端の水平面（支持面）４１ｂに続き、水平面４１ｂと二段目の段部４２の後側の垂直面４２ａとの間に、垂直面４２ａに沿って一段目の端子挿通部９が設けられている。上端の水平面４１ｂは湾曲面を介して一段目の端子挿通部９の後側の内面４１ｄに続いている。端子挿通部９の前側の内面４１ｅは二段目の段部４２の後側の垂直面４２ａを兼ねている。以下、後側の階段状のブロック部３８の二段目、三段目の段部４２，４３も同様に、前側の階段状のブロック部３７の二段目、三段目の段部４２，４３を前後対称に配置した形態となっている。
【００４７】
前後のブロック部３７，３８を連結する連結壁３９は、例えば図４の雄ねじ部材（ボルト）７に対する不図示の雌ねじ部材（ナット）を収容したり、あるいは雄ねじ部材７を螺合する雌ねじ孔を有して、雄ねじ部材螺合部として作用する。図１１〜図１２の従来技術では、前後のコネクタハウジング７２，７３を回路基板７６等に固定するのに計四つのねじ部材（符号８０で示す部分）を使用したが、本実施形態の端子保持ブロック８の前後のブロック部３７，３８は連結壁３９で一体に連結形成されているので、端子保持ブロック８を回路基板６に固定するのに左右計二つのねじ部材７を用いれば済む。このように、ねじ部材７の数とその締付作業負担が軽減されている。
【００４８】
図４の如く、端子保持ブロック８の前側の階段状のブロック部３７における一段目の端子挿通部９の前側の内面４１ｄが一段目の各端子１２の垂直部１２ｂの前側の外面１２ｂ１に接し、同じく端子挿通部９の後側の内面４１ｅが各垂直部１２ｂの後側の外面１２ｂ２に接している。同様に、二段目の端子挿通部１０の前側の内面４２ｄが二段目の各端子１３の垂直部１３ｂの前側の外面１３ｂ１に接し、同じく端子挿通部１０の後側の内面４２ｅが各垂直部１３ｂの後側の外面１３ｂ２に接し、三段目の端子挿通部１１の前側の内面４３ｄが三段目の各端子１４の垂直部１４ｂの前側の外面１４ｂ１に接し、同じく端子挿通部１１の後側の内面４３ｅが各垂直部１４ｂの後側の外面１４ｂ２に接している。
【００４９】
一段目の端子挿通部９の前側の内面４１ｄは、一段目の段部４１の垂直な前側の壁部４１Ａの後面であり、同じく端子挿通部９の後側の内面４１ｅは、二段目の段部４２の垂直な前側の壁部４２Ａの前面である。二段目の端子挿通部１０の前側の内面４２ｄは、二段目の段部４２の垂直な後側の壁部４２Ｂの後面であり、同じく端子挿通部１０の後側の内面４２ｅは、三段目の段部４３の垂直な前側の壁部４３Ａ１の前面である。三段目の端子挿通部１１の前側の内面４３ｄは、三段目の段部４３の前半の壁部４３Ａの後壁４３Ａ２の後面であり、同じく端子挿通部１１の後側の内面４３ｅは、三段目の段部４３の後半の垂直な壁部４３Ｂの前面である。
【００５０】
上記構造により、ジョイントコネクタ１の前側のコネクタ（符号２で代用）への相手コネクタの嵌合時に、図４の矢印Ｆ１の如く、各段の端子１２〜１４の水平部（一方の部分）１２ａ〜１４ａに相手コネクタ嵌合方向（後向き）の力Ｆ１が作用した際に、各端子挿通部９〜１１の相手コネクタ嵌合方向（後側）の内面４１ｅ，４２ｅ，４３ｅに各段の端子１２〜１４の垂直部（他方の部分）１２ｂ〜１４ｂの相手コネクタ嵌合方向（後側）の外面１２ｂ２〜１４ｂ２が当接して、相手コネクタ嵌合方向の力Ｆ１がしっかりと受け止められる。
【００５１】
この際、一段目と二段目の端子１２，１３の垂直部１２ｂ，１３ｂの上部の後側の外面１２ｂ２，１３ｂ２すなわち水平部１２ａ，１３ａの後端の近傍における外面１２ｂ２，１３ｂ２が、一段目と二段目の端子挿通部９，１０の上部開口側の後側の内面４１ｅ，４２ｅに当接すると共に、三段目の端子１４の垂直部１４ｂの上部の後側の外面１４ｂ２すなわち水平部１４ａの後端の近傍における後側の外面１４ｂ２が、三段目の端子挿通部１１の上部開口側の後側の内面４３ｅに当接して、相手コネクタ嵌合方向の力Ｆ１がしっかりと受け止められることが好ましい。これは、後述の後側の階段状のブロック部３８においても同様である。
【００５２】
また、図４の矢印Ｆ２の如く、各段の端子１２〜１４の水平部１２ａ〜１４ａに相手コネクタ離脱方向（前向き）の力が作用した際に、各端子挿通部９〜１１の相手コネクタ離脱方向（前側）の内面４１ｄ〜４３ｄに各段の端子１２〜１４の垂直部１２ｂ〜１４ｂの相手コネクタ離脱方向（前側）の外面１２ｂ１〜１４ｂ１が当接して、相手コネクタ離脱方向の力Ｆ２がしっかりと受け止められる。
【００５３】
この際、一段目〜三段目の端子１２〜１４の垂直部１２ｂ〜１４ｂの上部の前側の外面１２ｂ１〜１４ｂ１すなわち水平部１２ａ〜１４ａの後部の近傍における前側の外面１２ｂ１〜１４ｂ１が、一段目〜三段目の端子挿通部９〜１１の上部開口側の前側の内面４１ｄ〜４３ｄ（湾曲面４１ｃ〜４３ｃを含む）に当接して、相手コネクタ離脱方向の力Ｆ２がしっかりと受け止められることが好ましい。これは、後述の後側の階段状のブロック部３８においても同様である。
【００５４】
図１の後側の階段状のブロック部３８においても、前側の階段状のブロック部３７と対称に、一段目の端子挿通部９の後側の内面４１ｄが一段目の各端子１２の垂直部１２ｂの後側の外面１２ｂ１に接し、端子挿通部９の前側の内面４１ｅが各垂直部１２ｂの前側の外面１２ｂ１に接している。同様に（以下詳細な符号は省略する）、二段目の端子挿通部１０の後側の内面が二段目の各端子１３の垂直部の後側の外面に接し、端子挿通部１０の前側の内面が各垂直部の前側の外面に接し、三段目の端子挿通部１１の後側の内面が三段目の各端子１４の垂直部の後側の外面に接し、端子挿通部１１の前側の内面が各垂直部の前側の外面に接している。
【００５５】
後側の階段状のブロック部３８における一段目の端子挿通部９の後側の内面４１ｄは、一段目の段部４１の垂直な前側の壁部の前面であり、同じく端子挿通部９の前側の内面４１ｅは、二段目の段部４２の垂直な後側の壁部の後面４２ａである。二段目の端子挿通部１０の後側の内面は、二段目の段部４２の垂直な前側の壁部の前面であり、同じく端子挿通部１０の前側の内面は、三段目の段部４３の垂直な後側の壁部の後面である。三段目の端子挿通部１１の後側の内面は、三段目の段部４３の後半の垂直な壁部の前面であり、同じく端子挿通部１１の前側の内面は、三段目の段部４３の前半の垂直な壁部の後面である。
【００５６】
上記構成により、ジョイントコネクタ１の後側のコネクタ（符号３で代用）への相手コネクタの嵌合時に、各段の端子１２〜１４の水平部に相手コネクタ嵌合方向（前向き）の力が作用した際に、各端子挿通部９〜１１の相手コネクタ嵌合方向（前側）の内面に各段の端子１２〜１４の垂直部の前側の外面が当接して、相手コネクタ嵌合方向の力がしっかりと受け止められる。また、各段の端子１２〜１４の水平部に相手コネクタ離脱方向（後向き）の力が作用した際に、各端子挿通部９〜１１の相手コネクタ離脱方向（後側）の内面に各段の端子１２〜１４の垂直部の後側の外面が当接して、相手コネクタ離脱方向の力がしっかりと受け止められる。
【００５７】
図４の如く、各端子挿通部９〜１１における上半側のスリット部４５（図５）の前後方向の内幅は、各端子１２〜１４の垂直部１２ｂ〜１４ｂの前後方向の板厚よりも僅かに大きく規定され、各端子１２〜１４の垂直部をスリット部４５（図５）にスムーズ且つ容易に挿通可能である。スリット部４５（図５）に続く端子挿通孔４６の前後方向の内幅は、スリット部４５の前後方向の内幅よりも小さく規定され、且つ各端子１２〜１４の垂直部１２ｂ〜１４ｂの前後方向の板厚と同程度ないし若干大きく規定されており、各端子１２〜１４の垂直部１２ｂ〜１４ｂを前後方向に位置決め可能である。
【００５８】
図５に図４のＢ−Ｂ断面を示す如く、一段目の端子挿通部９は、一段目（一層目）の各端子１２の垂直部１２ｂの上半側部分を挿通させる一つのスリット部４５と、スリット部４５から下方に続き、各端子１２の垂直部１２ｂの下半側部分を挿通させる各挿通孔（端子挿通孔）４６とで構成されている。各挿通孔４６は各端子１２の断面形状に合わせた矩形状に形成され、左右方向に等ピッチで配列されている。
【００５９】
図５において、符号６は回路基板、７は雄ねじ部材、４２は二段目の段部、４３は三段目の段部、４２ａは、一段目の端子挿通部９の後側の内面４１ｅ（図４）を兼ねる二段目の段部４２の前側の面、４３ａは、二段目の端子挿通部１０（図４）の後側の内面４２ｅを兼ねる三段目の段部４３の前側の面、１３は二段目（二層目）の各端子、１４は三段目（三層目）の各端子、をそれぞれ示している。図５は、一段目の各端子１２と端子挿通部９の係合状態を示したものであるが、二段目及び三段目の各端子１３，１４と各端子挿通部１０，１１の係合形態は一段目におけると同様であるので、図示及び説明を省略する。
【００６０】
図５及び図６に示す如く、端子１２の垂直部１２ｂは、回路基板６のスルーホール４８を少し貫通する先端部（基板接続部）２９と、先端部２９の上側に続いて形成され、端子保持ブロック８の底壁４９に設けられた端子挿通孔４６の左右方向に幅狭な下半部４６ａに圧入される圧入部５０と、圧入部５０の上側に続いて形成され、同じく端子挿通孔４６の左右方向に幅広な上半部４６ｂに挿入される幅広なストッパ部５１と、を有している。スルーホール４８は端子挿通部９の前後幅よりも大径に形成されている。
【００６１】
図６の如く、各端子１２の圧入部５０には、左右一対（一つずつ）の圧入用の突起５２が一体に且つ左右対称に設けられている。左右とは、端子１２の板厚方向とは直交する板幅方向（幅方向）であり、端子挿通孔４６への端子１２の挿通方向とは直交する方向である。端子１２の圧入部５０の左右一対の突起５２のなす外幅は、端子保持ブロック８の端子挿通孔４６の幅狭な下半部４６ａの左右方向の内幅よりも大きく規定されている。端子１２は板厚方向にＬ字状に折り曲げられ、各突起５２は端子１２の板幅方向に配設されている。端子１２の板厚は、複数の端子１２を不図示の導電金属板（母材）からプレス打ち抜き成形する際の導電金属板の板厚に一致する。なお、図６においては、便宜上、突起５２と挿通孔４６の下半部４６ａを圧入前の寸法で示している。
【００６２】
圧入用の突起５２が挿通孔４６の下半部４６ａに圧入された際の固着力（摩擦力）すなわち端子１２の上向きの抜け出し抗力は、端子挿入済の回路基板６を噴流ハンダの槽（図示せず）に浸してハンダ接続する際のハンダの噴流力（弱いものである）よりも大きければよいので、大きな固着力は必要ない。従って、端子１２を端子保持ブロック８の挿通孔４６に圧入するための設備の小型化が可能となる。
【００６３】
また、端子１２の圧入部５０の突起５２は左右一つずつでよいので、図７に示すように、端子１２'の圧入部５０'の突起５２'を左右二対（二つずつ）形成する場合に比べて、端子１２の圧入部５０の長さすなわち垂直部１２ｂの長さを短縮することができる。なお、図７においても便宜上、突起５２'と圧入部５０'を圧入前の寸法で示している。
【００６４】
図５，図６においては、一段目の端子１２の圧入部５０について説明したが、二段目及び三段目の端子１３，１４の圧入部５０の突起５２やストッパ部５１等の形状は、一段目の端子１２におけると同様であるので詳細な説明を省略する。
【００６５】
図４の如く、各端子１２〜１４はＬ字状に屈曲形成され、一方の水平部１２ａ〜１４ａと他方の垂直部１２ｂ〜１４ｂと中間側の直交方向の湾曲状の折り曲げ部とを備えている。垂直部１２ｂ〜１４ｂにおける圧入部５０（図５）が一対の突起５２（図５）を有し、圧入部５０に続くストッパ部５１（図５）が、端子保持ブロック８の挿通孔４６への端子１２〜１４の挿入ストロークを規制する。端子１２〜１４の水平部１２ａ〜１４ａは矩形ピン状ないしタブ状に形成され、コネクタハウジング２，３内に収容される先端側の電気接触部を含んでいる。垂直部１２ｂ〜１４ｂは矩形ピン状に形成されている。
【００６６】
図４の如く、端子１２〜１４に作用する相手コネクタ嵌合離脱時の力Ｆ１，Ｆ２を端子保持ブロック８の端子挿通部９〜１１の前後の各内面４１ｄ〜４３ｄ，４１ｅ〜４３ｅで受けるようにしたので、従来技術の図１１のコネクタハウジング７２の奥壁７４の挿通孔に端子７５を圧入する（端子７５に前後一対の長めの圧入部７８を設ける）必要がなくなり、図１の如く、コネクタハウジング２，３の各奥壁３０を従来よりも薄く形成し、且つ各端子１２〜１４の水平部１２ａ〜１４ａの長さを従来よりも短縮して、ジョイントコネクタ１を相手コネクタ嵌合離脱方向にコンパクト化することができる。
【００６７】
本例においては、端子１２〜１４を各層ごとに連結する連結板は形成せずに、例えば回路基板６の回路（印刷回路）のパターン形状によって各端子１２〜１４をジョイントさせている。これに対して、例えば、端子保持ブロック８のスリット部４５（図５）内において、端子１２〜１４の垂直部１２ｂ〜１４ｂを左右方向の不図示の連結板（連結部）で一体に連結させることも可能である。端子１２〜１４と連結板とで連結ジョイント端子が構成される。
【００６８】
図４の如く、一層目の端子１２の全長が最も短く、二層目の端子１３の水平部１３ａは、垂直部１３ｂが一層目の端子１２よりも後方で回路基板６に接続される関係で長く、且つ二層目の端子１３の垂直部１３ｂは、水平部１３ａが一層目の端子１２の上方に配置される関係で長く、同様に三層目の端子１４は二層目の端子１３よりも長く規定されている。各層の端子１２〜１４の水平部１２ａ〜１４ａの先端は仮想の同一垂直面上に位置し、各層の端子１２〜１４の垂直部１２ｂ〜１４ｂの先端（下端）は仮想の同一水平面上に位置する。
【００６９】
図１のジョイントコネクタ１の使用形態（方法）の一例として、一方向電線導出型の一つのジョイントコネクタ（不図示の共通ジョイントコネクタ）を一方に配置し、複数（例えば三つ）の不図示の電装品を他方に配置し、複数（例えば三つ）の図１のジョイントコネクタ（中間ジョイントコネクタ）１を中間に配置して、共通ジョイントコネクタと第一の中間ジョイントコネクタ１と第一の電装品とを第一のサブワイヤハーネス（各電線）で接続し、共通ジョイントコネクタと第二の中間ジョイントコネクタ１と第二の電装品とを第二のサブワイヤハーネス（各電線）で接続し、共通ジョイントコネクタと第三の中間ジョイントコネクタ１と第三の電装品とを第三のサブワイヤハーネス（各電線）で接続して、ワイヤハーネスを構成することも可能である。このワイヤハーネスによれば、サブワイヤハーネス間を跨ぐジョイント電線とその端子の後嵌め作業を削減して、端子の先嵌め率を高めることができる。
【００７０】
なお、上記実施形態においては、図１の如く、前後に各コネクタ２，３を有する双方向電線導出型のジョイントコネクタ１の例で説明したが、例えば、図４に示す片側接続構造に類するような、一方のコネクタ２とそれに対応する各端子１２〜１４、端子保持ブロック８、回路基板６及び不図示のカバーとで一方向電線導出型のジョイントコネクタ（図示せず）を構成することも可能である。
【００７１】
この場合、図４の三層の端子１２〜１４のうちの何れか一の端子が入力（上流）側となり、何れか他の端子が出力（下流）側となる。何れの場合も、コネクタは、少なくともコネクタハウジング２，３とその内側に配置された各端子１２〜１４とで構成される。ジョイントコネクタ１に嵌合する不図示の相手コネクタ内の端子（雌端子）に電線が接続（導出）され、その電線の導出方向は本例で水平となる。
【００７２】
また、上記実施形態においては、複数の端子１２〜１４を三層（三段）に配置したが、例えば複数の端子１２を一層（一段）のみに配置したり、あるいは複数の端子１２，１３を二層（二段）に配置したり、あるいは四層（四段）ないしそれ以上に配置することも可能である。端子保持ブロック８の段部４１〜４３の数は端子１２〜１４の層数に応じて規定される。
【００７３】
また、上記実施形態においては、端子保持ブロック８の前後の階段状のブロック部３７，３８を前後対称に形成し、前後の各端子１２〜１４を前後対称に配置したが、例えば前側のブロック部３７の段数と後側のブロック部３８の段数とを相違させて、前後の各端子１２〜１４の数を相違させることも可能である。例えば、前側の各端子１２〜１４の数が後側の各端子１２〜１４の数よりも多い場合、前側の何れか二つの端子が回路基板６の不図示の回路（ジョイント回路）を介して後側の何れか一つの端子に相互接続される。
【００７４】
また、上記実施形態においては、コネクタハウジング２，３と端子保持ブロック８の各ブロック部３７，３８とを１８０°方向（相反する方向）にそれぞれ二つ配置しているが、例えばコネクタハウジング２，３の数は、前側に一つないし三つ、後側に一つないし三つ等というように、適宜設定可能である。
【００７５】
続いて、本発明の他の実施形態を図８〜１０を参照して説明する。また、図８〜１０において、上述した実施形態（図１〜６）と同一構成部分には同一符号を付して説明を省略する。
【００７６】
図８に示すジョイントコネクタ１０１は、上下前後の４つのコネクタハウジング１２１，１２２，１３１，１３２を含む合成樹脂製のカバー１０４と、カバー１０４の底壁の内面に沿って水平に配置された回路基板１０６と、回路基板１０６の上面に固定された合成樹脂製の端子保持ブロック１０８と、端子保持ブロック１０８の垂直（縦方向）な各端子挿通部９，１０に挿通された状態で回路基板１０６にハンダ接続され、各端子挿通部９，１０の上端において各コネクタハウジング１２１，１２２，１３１，１３２に向けて水平に折り曲げられた導電金属製のＬ字状の複数の端子１１２，１１３と、を備えたものである。
【００７７】
カバー１０４は、上記実施形態のカバー４（図１，２）と同様に、分離可能な第一のカバー部１１５と第二のカバー部１１８で構成されている。コネクタハウジング１２１は、第一のカバー部１１５の下層側に配置されており、コネクタハウジング１２２は、第一のカバー部１１５の上層側に配置されている。コネクタハウジング１３１は、第二のカバー部１１８の下層側に配置されており、コネクタハウジング１３２は、第二のカバー部１１８の上層側に配置されている。コネクタハウジング１２１とコネクタハウジング１３１とは水平な同一線上（１８０°方向）に配置されている。コネクタハウジング１２２とコネクタハウジング１３２とは水平な同一線上（１８０°方向）に配置されている。これらコネクタハウジング１２１，１２２，１３１，１３２は左右方向に長い矩形状に形成されている。
【００７８】
図８において、符号２２１はコネクタハウジング１２１に嵌合される相手コネクタであり、符号２２２はコネクタハウジング１２２に嵌合される相手コネクタであり、符号２３１はコネクタハウジング１３１に嵌合される相手コネクタであり、符号２３２はコネクタハウジング１３２に嵌合される相手コネクタである。また、符号１２１ａは相手コネクタ２２１が嵌合される嵌合間口であり、符号１２２ａは相手コネクタ２２２が嵌合される嵌合間口であり、符号１３１ａは相手コネクタ２３１が嵌合される嵌合間口であり、符号１３２ａは相手コネクタ２３２が嵌合される嵌合間口である。
【００７９】
図９は、回路基板１０６と端子保持ブロック１０８と二層の各端子１１２，１１３とで成る、ジョイントコネクタ１０１の内部構成部品である端子組立接続体（図８のカバー１０４を除いた部分）を示すものである。
【００８０】
端子保持ブロック１０８は、前後の対称な階段状のブロック部１３７，１３８と、各ブロック部１３７，１３８を連結した連結壁１３９とを備えている。各ブロック部１３７，１３８はそれぞれ二段に形成されている。各段部４１，４２の上面から下向きに（下面まで貫通して）各端子挿通部９，１０が設けられている。これら段部４１，４２及び端子挿通部９，１０の構成は上記実施形態（図１〜６）と同様であるので、詳細な説明は省く。
【００８１】
端子１１２，１１３は各層において複数設けられており、各層の複数の端子１１２，１１３は左右方向に等ピッチで配列されている。端子１１２，１１３は、上記実施形態の端子１２，１３（図１）と同様の構成であるが、上記実施形態の端子１２，１３と異なり、下層側の端子１１２と上層側の端子１１３の展開形状及び全長が等しい。端子１１２，１１３は、図９に示すように、Ｌ字状に屈曲形成され、一方の水平部１１２ａ，１１３ａと他方の垂直部１１２ｂ，１１３ｂと中間側の直交方向の折り曲げ部１１２ｃ，１１３ｃとを備えている。
【００８２】
図１０は、端子１１２，１１３の展開図である。これら端子１１２，１１３は、導電金属板（母材）から共通の金型で打ち抜かれた半製品が図１０中の二点鎖線で示す位置Ｈ１，Ｈ２でそれぞれ折り曲げられて成形されている。すなわち、端子１１２，１１３は、折り曲げられる前までは同じもの（同一形状で同一サイズ）であり、折り曲げ部１１２ｃ，１１３ｃとなる折り曲げ位置がそれぞれ異なっている。
【００８３】
図９に示すように、ブロック部１３７においては、上層側の端子１１３の折り曲げ部１１３ｃが、下層側の端子１１２の折り曲げ部１１２ｃよりも上側かつ相手コネクタ２２２から離れた側（連結壁１３９側）に位置している。そして、上層側の端子１１３の水平部１１３ａの先端が、下層側の端子１１２の水平部１１２ａの先端よりも相手コネクタ２２２から離れた側（連結壁１３９側）に位置している。各層の端子１１２，１１３の垂直部１１２ｂ，１１３ｂの先端（下端）は仮想の同一水平面上に位置している。
【００８４】
図９に示すように、ブロック部１３８においては、上層側の端子１１３の折り曲げ部１１３ｃが、下層側の端子１１２の折り曲げ部１１２ｃよりも上側かつ相手コネクタ２３２から離れた側（連結壁１３９側）に位置している。そして、上層側の端子１１３の水平部１１３ａの先端が、下層側の端子１１２の水平部１１２ａの先端よりも相手コネクタ２３２から離れた側（連結壁１３９側）に位置している。各層の端子１１２，１１３の垂直部１１２ｂ，１１３ｂの先端（下端）は仮想の同一水平面上に位置している。
【００８５】
上記構成により、下層側の端子１１２と上層側の端子１１３とを製造する際に使用する金型を共通化することができ、コストを低減することができる。また、この金型で導電金属板から打ち抜いた端子１１２，１１３の半製品（折り曲げ前の状態）を在庫品として保有することで、在庫品の種類を減らすことができ、在庫管理を容易にすることができる。
【００８６】
本実施形態のジョイントコネクタ１０１においても、上記実施形態のジョイントコネクタ１と同様に、端子保持ブロック１０８の前側のブロック部１３７における一段目の端子挿通部９の前側の内面が一段目の各端子１１２の垂直部１１２ｂの前側の外面に接し、端子挿通部９の後側の内面が各垂直部１１２ｂの後側の外面に接している。同様に、二段目の端子挿通部１０の前側の内面が二段目の各端子１１３の垂直部１１３ｂの前側の外面に接し、端子挿通部１０の後側の内面が各垂直部１１３ｂの後側の外面に接している。
【００８７】
端子保持ブロック１０８の後側のブロック部１３８においても、前側のブロック部１３７と対称に、一段目の端子挿通部９の後側の内面が一段目の各端子１１２の垂直部１１２ｂの後側の外面に接し、端子挿通部９の前側の内面が各垂直部１１２ｂの前側の外面に接している。同様に、二段目の端子挿通部１０の後側の内面が二段目の各端子１１３の垂直部１１３ｂの後側の外面に接し、端子挿通部１０の前側の内面が各垂直部１１３ｂの前側の外面に接している。
【００８８】
上述したコネクタハウジング１２１，１２２，１３１，１３２は、複数の端子１１２，１１３の各層毎に設けられている。具体的には、コネクタハウジング１２１は、ブロック部１３７に保持された下層側の端子１１２の水平部１１２ａを包囲している。コネクタハウジング１２２は、ブロック部１３７に保持された上層側の端子１１３の水平部１１３ａを包囲している。コネクタハウジング１３１は、ブロック部１３８に保持された下層側の端子１１２の水平部１１２ａを包囲している。コネクタハウジング１３２は、ブロック部１３８に保持された上層側の端子１１３の水平部１１３ａを包囲している。
【００８９】
ジョイントコネクタ１０１の前側においては、上層側のコネクタハウジング１２２の嵌合間口１２２ａが、下層側のコネクタハウジング１２１の嵌合間口１２１ａよりも上側かつ相手コネクタ２２２から離れた側に位置している。ジョイントコネクタ１０１の後ろ側においても、前側と対称に、上層側のコネクタハウジング１３２の嵌合間口１３２ａが、下層側のコネクタハウジング１３１の嵌合間口１３１ａよりも上側かつ相手コネクタ２３２から離れた側に位置している。
【００９０】
上述したコネクタハウジング１２１，１２２，１３１，１３２の上面には、嵌合されるべき相手コネクタ２２１，２２２，２３１，２３２を識別するマークが設けられている。図８に示す例では、コネクタハウジング１２１の上面のＭ１部分には相手コネクタ２２１を識別するマークが金型転写されており、相手コネクタ２２１の上面のＭ４部分にもＭ１部分と同じマークが金型転写されている。同様に、コネクタハウジング１２２の上面のＭ２部分には相手コネクタ２２２を識別するマークが金型転写されており、相手コネクタ２２２の上面のＭ５部分にもＭ２部分と同じマークが金型転写されている。同様に、コネクタハウジング１３２の上面のＭ３部分には相手コネクタ２３２を識別するマークが金型転写されており、相手コネクタ２３２の上面のＭ６部分にもＭ３部分と同じマークが金型転写されている。また、図示は省略するが、コネクタハウジング１３１の上面には相手コネクタ２３１を識別するマークが金型転写されており、相手コネクタ２３１の上面にもそれと同じマークが金型転写されている。
【００９１】
上述した相手コネクタを識別するマークは、例えば、相手コネクタの品番、相手コネクタを表す図形、相手コネクタの色等である。また、このマークを形成する手段としては、例えば、上述した金型転写、印刷、シール等である。
【００９２】
上記マークにより、各コネクタハウジング１２１，１２２，１３１，１３２の嵌合されるべき相手コネクタ２２１，２２２，２３１，２３２が明確になり、誤嵌合を防止できる。
【００９３】
上記実施形態のジョイントコネクタ１０１においては、複数の端子１１２，１１３が二層に配置されていたが、複数の端子を三層以上に配置することも可能である。
【００９４】
その他、従来公知の知見に従い、本発明のジョイントコネクタ１，１０１を適宜改変することができる。かかる改変によってもなお本発明のジョイントコネクタ１，１０１の構成を具備する限り、勿論、本発明の範疇に含まれる。
【産業上の利用可能性】
【００９５】
本発明のジョイントコネクタは、例えば、車両等に搭載されるワイヤハーネスの一部品として、コンパクト化や搭載側の省スペースを図るために利用することができる。
【符号の説明】
【００９６】
１，１０１  ジョイントコネクタ
２，３，１２１，１２２，１３１，１３２  コネクタハウジング
６，１０６  回路基板
８，１０８  端子保持ブロック
９〜１１  端子挿通部
１２〜１４，１１２，１１３  端子
１２ａ〜１４ａ，１１２ａ，１１３ａ  一方
１２ｂ〜１４ｂ，１１２ｂ，１１３ｂ  他方
１２ｂ１〜１４ｂ１  相手コネクタ離脱方向の外面
１２ｂ２〜１４ｂ２  相手コネクタ嵌合方向の外面
３７，３８          ブロック部
４１ｄ〜４３ｄ      相手コネクタ離脱方向の内面
４１ｅ〜４３ｅ      相手コネクタ嵌合方向の内面
４６                端子挿通孔
５２                突起
【図１】
2017126548.tif 000003
【図２】
2017126548.tif 000004
【図３】
2017126548.tif 000005
【図４】
2017126548.tif 000006
【図５】
2017126548.tif 000007
【図６】
2017126548.tif 000008
【図７】
2017126548.tif 000009
【図８】
2017126548.tif 000010
【図９】
2017126548.tif 000011
【図１０】
2017126548.tif 000012
【図１１】
2017126548.tif 000013
【図１２】
2017126548.tif 000014
【図１３】
2017126548.tif 000015